(57)【要約】      （修正有）【課題】香水を使用する際、バブルを押す簡単な動作によって、空気を供給し、戻すという原理を利用して、香水がバブル内部に逆流するのを防ぐことができる香水の液体逆流防止スプレーの構造を提供する。【解決手段】香水の液体逆流防止スプレーの構造は、ノズル１、固定接続ユニット、カバー、ボトル本体、バブルからなる。ノズルの空気供給接続管内部にはローリングボールがあって、ノズル内の空気供給接続管には一端に十字型槽があり、もう一方の端には液体導入槽がある。この十字型槽は空気の通り道があって、ローリングボールの通り道をさえぎることはない。バブルが押されない時は、ローリングボールはバブルの戻る力によって吸い戻され、空気供給接続管をふさぎ、同時に拡張穴をふさぐことにより、香水液が気流と共に逆流して空気供給接続管に進入し、バブル内部に流れ込むのを防ぐ。【選択図】図４
0003117991.tif 000002
【実用新案登録請求の範囲】
【請求項１】
ノズル、固定接続ユニット、カバー、ボトル本体、バブルからなり、固定接続ユニットはボトル本体と結合していて、その固定接続ユニットにはカバーを収納するくぼんだ槽があって、外部キャップが固定接続ユニットの外側にはめ込まれることで、カバーが固定されて、ノズルと結合したバブルが気体を発生させて香水液を噴出させ、
ノズル本体には水平方向の穴及び軸方向の通り穴があって、二つの穴は互いに通じていて、水平方向の穴は空気供給接続管、空気導入パーツ、ノズルの口が取り付けられるようになっていて、ノズルの口は水平方向の穴の一側面に取り付けられ、空気供給接続管内部は穴になっていて、互いに通じて、その一端は拡張穴で、その拡張穴の外側には導入面があって、拡張穴内部にはローリングボールが納まるようになっていて、そのローリングボールが空気供給接続管の中に覆われて、ローリングボールが自由に活動できる空間を形成していて、ローリングボールを収納するもう一方の側は拡張穴の開口部で、空気導入パーツが結合するようになっていて、この空気導入パーツの一端には十字型槽があって、もう一方の端には液体導入槽があるという特長を持つ、香水の液体逆流防止スプレーの構造。
【請求項２】
空気導入の十字型槽が拡張穴と結合して、もう一方の液体導入槽はノズルの口に結合する、請求項１に記載の香水の液体逆流防止スプレーの構造。
【請求項３】
空気供給接続管とノズルの口の間の接続が密ではない、請求項１に記載の香水の液体逆流防止スプレーの構造。
【請求項４】
空気導入パーツとノズルの口が結合する位置に、両者の周辺の間に液体の通り道を形成し、この液体の通り道がノズルの軸方向の通り穴に通じていて、香水液が流れる通り道となる、請求項１に記載の香水の液体逆流防止スプレーの構造。
【請求項５】
ノズル中央のノズルの口の内面には溝があって、空気導入パーツの液体導入槽を導入のための通り道にしている、請求項１に記載の香水の液体逆流防止スプレーの構造。
【考案の詳細な説明】
【技術分野】
【０００１】
本考案は香水の液体逆流防止スプレーの構造に関する。本考案の香水液逆流防止スプレーの構造は、香水を使用する際に簡単に逆流を防ぐことができるという特長がある。
【背景技術】
【０００２】
従来、液体の香水を使用する際は、直接つける方法、スプレー方式、バブル式のアトマイザーボトルが一般的である。そのうち、バブル式のアトマイザーボトルは、バブル内部の気流の動きを利用して、気体をノズルから噴出させる際に、香水液を瞬間一度に噴出させて均一に噴霧効果を発生させるものである。しかしながら、このタイプのアトマイザーボトルの構造はバブルによって発生した気流が香水液を動かすため、バブルを押さない時、バブルが元に戻る際に、往々にして一部の香水が逆流することがある。さらに、これらの香水はバブル内に流入して、次にバブルを押したとき、これらのバブル内に残った、すでに変質した香水が空気と共に噴出されることになる。
【考案の開示】
【考案が解決しようとする課題】
【０００３】
香水を使用する際、バブルを押す簡単な動作によって、空気を供給し、戻すという原理を利用して、香水がバブル内部に逆流するのを防ぐことができる香水の液体逆流防止スプレーの構造を提供することを課題とする。
【課題を解決するための手段】
【０００４】
本考案の香水の液体逆流防止スプレーの構造は、ノズル、固定接続ユニット、カバー、ボトル本体、バブルからなる。そのうち、ノズルの空気供給接続管内部にはローリングボールがあって、ノズル内の空気供給接続管には一端に十字型槽があり、もう一方の端には液体導入槽がある。この十字型槽は空気の通り道があって、ローリングボールの通り道をさえぎることはない。バブルが押されない時は、ローリングボールはバブルの戻る力によって吸い戻され、空気供給接続管をふさぎ、同時に拡張穴をふさぐことにより、香水液が気流と共に逆流して空気供給接続管に進入し、バブル内部に流れ込むのを防ぐ。このことによって、香水を使用する際、バブルを押す簡単な動作によって、空気を供給し、戻すという原理を利用して、香水がバブル内部に逆流するのを防ぐ。
【考案の効果】
【０００５】
本考案の香水の液体逆流防止スプレーの構造は、ノズルの空気供給管内部にローリングボールがあって、ノズル内の空気供給接続管に一端に十字型槽があり、もう一方の端に液体導入槽がある。この十字型槽は気体導入のための通り道を形成し、さらに、ローリングボールが通り道をふさぐことはない。バブルが押されない時は、ローリングボールがバブルの戻る力によって吸引されて空気の供給接続管の通り道をストップする。同時に、拡張穴をふさぐことによって、香水が空気の流れと共に空気供給接続管に逆流してバブル内部に流れ込むのを防ぐ。したがって、香水を使用する時、簡単にバブルで空気を供給し、気体を吸い戻すという原理を利用して、香水がバブル内部に逆流するのを防ぐという効果がある。
【考案を実施するための最良の形態】
【０００６】
図１から図３を参照いただきたい。本考案の香水の液体逆流防止スプレーの構造は、ノズル１、固定接続ユニット２、カバー３、ボトル本体４、バブル５からなる。固定接続ユニット２はボトル本体４と結合していて、その固定接続ユニット２にはカバー３を収納するくぼんだ槽２１がある。外部キャップ２２が固定接続ユニット２の外側にはめ込まれることで、カバー３が固定される。このカバー３はノズル１と結合し、延長管５１が伸びてノズル１と結合したバブル５が気体を発生させて香水液を噴出させる。
【０００７】
ノズル１の構造に関しては、図３から図５を参照いただきたい。ノズル１本体には水平方向の穴１１及び軸方向の通り穴１２がある。二つの穴は互いに通じている。水平方向の穴１１は空気供給接続管１３、空気導入パーツ１４、ノズルの口１５等のパーツが取り付けられるようになっている。ノズルの口１５は水平方向の穴１１の一側面に取り付けられ、ノズルの口１５にはノズル穴１５２があって、ノズル穴１５２の内面には溝１５１がある。これは空気導入パーツ１４の液体導入槽１４２と互いに通じる。
【０００８】
上述の空気供給接続管１３内部は互いに通じていて、その一端は拡張穴１３１で、その拡張穴１３１の外側には導入面１３２があって、拡張穴１３１内部にはローリングボール１３３が納まるようになっていて、そのローリングボール１３３が空気供給接続管１３の中に覆われて、ローリングボール１３３が自由に活動できる空間を形成している。ローリングボール１３３を収納するもう一方の側は拡張穴１３１の開口部で、空気導入パーツ１４が結合するようになっている。この空気導入パーツ１４の一端には十字型槽１４１があって、もう一方の端には液体導入槽１４２がある。空気導入パーツ１４が結合して空気供給接続管１３内部に取り付けられた時、この空気導入パーツ１４の十字型槽１４１が拡張穴１３１と結合する。さらに、もう一方の液体導入槽１４２はノズルの口１５に結合する。このため、空気導入パーツ１４は空気供給接続管１３とノズルの口１５の間に設置され、空気供給接続管１３とノズルの口１５の間の結合は密ではなく、隙間が開いている。そして、空気導入パーツ１４とノズルの口１５が結合する位置は、両者の周辺の間に液体の通り道１０を形成する。この液体の通り道１０はノズル１の軸方向の通り穴１２に通じていて、香水液が流れる通り道となる。
【０００９】
さらに、図３から図６までを参照いただきたい。ノズル１と固定接続ユニット２の間に設置されたカバー３によって、カバー３の下端には液体吸入管３２が取り付けられる。カバー３上方の開口部の液体収納空間３１の内面には内側螺旋模様３１１があって、液体収納空間３１に液体導入パーツ３３が設置できるようになっている。この液体導入パーツ３３下端は封鎖されているが、導入穴３３２があいている。液体導入パーツ３３外面には螺旋部分３３１があって、液体収納空間３１の内側螺旋模様３１１にかみ合う。この液体導入パーツ３３は液体収納空間３１において螺旋によってかみ合うことで香水瓶の開閉を行うようになっている。液体導入パーツ３３が前に飛び出さないように、カバー３と外部キャップ２２の結合箇所には固定パーツ３４が設置されている。
【００１０】
香水の噴出に関しては図１から図６に示すように、バブル５を押すと、バブル５内の気体が延長管５１からノズル１内に導入される。気体が空気供給接続管１３に進入すると、ローリングボール１３３が動き、ローリングボール１３３が空気導入パーツ１４の十字型槽１４１のところにあたり、気体が十字型槽１４１から空気導入パーツ１４内部に進入する。この時、ノズルの口１５にある香水液の気体がノズルの口１５を通過する時、香水液を外に送り出し、気流と共に霧状態になって散布される。香水液は液体吸入管３２から導入穴３３２を通ってカバー３の液体導入パーツ３３に至り、さらに、液体の通り道１０に至って供給され続ける。バブル５を押すたびに香水液は適量噴霧される。
【００１１】
図７を参照いただきたい。バブル５が押されない時、ローリングボール１３３はバブル５が元に戻る力によって、拡張穴１３１内部に吸い戻される。同時に、拡張穴１３１をふさぐことで、香水液が気流と共に逆流して空気供給接続管１３に進入し、バブル５内部に流れ込むのを防ぐ。
したがって、本考案の香水の液体逆流防止スプレーの構造は、香水液がバブル５を押す動作によって香水が逆流するのを防ぎ、押す動作を確実にし、同時に、香水液がにじみ出るのも防ぎ、液の噴霧の際の安定度を高めることが可能である。
【図面の簡単な説明】
【００１２】
【図１】本考案の香水の液体逆流防止スプレーの構造を香水瓶に取り付けた状態を示した外観図である。
【図２】本考案のノズルを組み立てた立体外観図である。
【図３】図２の構造を示した立体分解図である。
【図４】本考案のノズルの構造を示した立体分解図である。
【図５】本考案のノズルの内部構造を示した平面図である。
【図６】本考案が液体を噴出する状態を示した見取り図である。
【図７】本考案が液体を噴出した後のノズルが液体の逆流を防止する状態を示した見取り図である。
【符号の説明】
【００１３】
１          ノズル
１１        水平方向の穴
１２        軸方向の通り穴
１３        空気供給接続管
１３１      拡張穴
１３２      導入面
１３３      ローリングボール
１４        空気導入パーツ
１４１      十字型槽
１４２      液体導入槽
１４３      空気の通り道
１５        ノズルの口
１５１      溝
１５２      ノズル穴
１０        液体の通り道
２          固定接続ユニット
２１        くぼんだ槽
２２        外部キャップ
３          カバー
３１        液体収納空間
３１１      内側螺旋模様
３２        液体吸入管
３３        液体導入パーツ
３３１      螺旋部分
３３２      導入穴                 
３４        固定パーツ
４          ボトル本体
５          バブル
５１        延長管
【図１】
0003117991.tif 000003
【図２】
0003117991.tif 000004
【図３】
0003117991.tif 000005
【図４】
0003117991.tif 000006
【図５】
0003117991.tif 000007
【図６】
0003117991.tif 000008
【図７】
0003117991.tif 000009